(57)【要約】【課題】  本発明は、給紙部にセットされた用紙が印刷に不適合な用紙である場合は印刷しないようにすることを課題とする。【解決手段】  印刷するための用紙の状態、属性および情報を認識する認識手段と、前記認識手段で得た情報に基づき印刷行為が適合か不適合かを判断する判断手段と、前記判断手段が適合と判断した場合は印刷を実行し、不適合と判断した場合は印刷を中止する。【選択図】図１
2005262640.tif 000002
【特許請求の範囲】
【請求項１】
印刷するための用紙の状態、属性および情報を認識する認識手段と、前記認識手段で得た情報に基づき印刷行為が適合か不適合かを判断する判断手段と、前記判断手段が適合と判断した場合は印刷を実行し、不適合と判断した場合は印刷を中止することを特徴とする印刷制御装置。
【請求項２】
印刷しようとする用紙が不適合の場合は、オペレータに対して印刷制御装置のパネル部や、印刷制御装置へ印刷データを送る側に印刷しようとしている用紙が不適合であることを通知する通知手段を有することを特徴とする請求項１記載の印刷制御装置。
【請求項３】
不適合専用排紙部を設置することにより、印刷しようとする用紙が不適合の場合は、不適合専用排紙部へ排紙することを特徴とする請求項１または２記載の印刷制御装置。
【請求項４】
連続印刷の途中に印刷しようとする用紙を不適合と判断した場合は不適合専用排紙部へ排紙し、印刷しようとする用紙を適合と判断した場合は印刷して適合専用排紙部へ排紙し、適合した用紙のみを印刷することを特徴とする請求項１または３記載の印刷制御装置。
【請求項５】
前記設定手段は、通知の可否を設定自在であることを特徴とする請求項２記載の印刷制御装置。
【請求項６】
印刷するための用紙の状態、属性および情報を認識するための条件を設定する認識設定手段を有することを特徴とする請求項１記載の印刷制御装置。
【請求項７】
印刷行為が適合か不適合かを設定する適合設定手段を有することを特徴とする請求項１記載の印刷制御装置。
【発明の詳細な説明】
【技術分野】
【０００１】
本発明は、印刷に必要な媒体である用紙の属性を認識する印刷制御装置に関する。
【背景技術】
【０００２】
印刷制御装置において、通常、用紙を印刷する場合、給紙部に挿入されている用紙を給紙し印刷する。但し、給紙部に挿入されている用紙の状態、種類によって、ジャムが発生しやすいとか、意図する用紙と異なった用紙に印刷してしまう等の問題があった。
【０００３】
この改善策として、用紙の種類や状態を判断し、最適な搬送条件を自動的に設定する印刷方法（特許文献１参照）や、用紙の種類や温湿度等の環境条件の変化に応じて給紙装置の分離部材の切り替えを行う給紙装置（特許文献２参照）等が提案されており、また、用紙自体に印字されている画像やコードを読み取り、その情報に基づいて印刷方向を決める定形帳票処理装置（特許文献３参照）等が知られている。
【０００４】
【特許文献１】特開平１１−１０６０５８号公報
【０００５】
【特許文献２】特開２０００−２４７４６７号公報
【特許文献３】特開２００１−２６１５８号公報
【発明の開示】
【発明が解決しようとする課題】
【０００６】
従来の印刷制御装置では、給紙部にセットされた用紙は必ず、印刷することを重点において印刷制御処理が行われていた。例えば、印刷する用紙の種類、状態を認識し判断して、印刷するための搬送条件や給紙装置の給紙方法を切り替えて印刷ができる状態を構築し印刷する等である。
【０００７】
本発明は、給紙部にセットされた用紙が印刷に不適合な用紙である場合は印刷しないようにすることを目的とする。
【課題を解決するための手段】
【０００８】
上記目的は、給紙部にセットされた用紙に印刷してよいかを判断し、印刷してはいけないものと判断された場合は、印刷せずに印刷を中止することによって達成される。
【発明の効果】
【０００９】
本発明の印刷制御装置は、印刷する業務、環境、印刷する用紙の情報、例えば用紙自体に埋め込まれているＩＣチップ、ＩＣタグ、μチップ情報や、プレプリント等の情報を認識することができ、また、印刷可否の判断を行うことができるので、機密情報の印刷制限、無駄な用紙への印刷防止、印刷の正当性等を行えるという利点がある。
【発明を実施するための最良の形態】
【００１０】
通常の印刷制御装置で用紙の搬送で使用される搬送路をそのまま使用し、用紙不適合の場合のみ排紙経路を切り替えるのみで実現した。
【００１１】
以下、本発明の実施例を図を参照しながら説明する。
【００１２】
図１は、本発明の印刷制御装置における要部構成の一実施例を示す概略図である。図１において、１００は本発明の印刷制御装置自体、１０１は印刷するための用紙が格納されている給紙部、１０２は用紙の種類、状態を解析する用紙情報解析部、１０３は用紙を印刷するか、しないかを判断する用紙印刷判断部、１０４は用紙印刷判断部１０３で印刷する（印刷適合）と判断された場合に印刷処理を実行する印刷処理実行部、１０５は印刷処理実行部１０４で印刷された用紙を排出する通常運用で使用する排紙部、１０６は用紙印刷判断部１０３で印刷しない（印刷不適合）と判断された場合に何も印刷していない用紙を排出する排紙部である。
【００１３】
図２は、本発明の印刷制御装置について、その要部構成の一実施例を示す機能ブロック図である。図２において、２００は図１の印刷制御装置と同じ印刷制御装置自体を表し、２０１は図１の給紙部１０１と同じ給紙部を表し、２０２は図１の用紙情報解析部１０２と同じ用紙情報解析部を表し、２０３は図１の用紙印刷判断部１０３と同じ用紙印刷判断部を表し、２０４は図１の印刷処理実行部１０４と同じ印刷実行部を表す。また、２０５は用紙印刷判断部２０３で印刷しないと判断した時で、その内容をオペレータへ通知するかどうかを判断するための表示判断部、２０６は図１の排紙部１０５と同じ排紙部を表し、２０７は図１の排紙部１０６と同じ排紙部を表す。また、２０８は表示判断部２０５で表示すると判断した場合にオペレータに通知する内容を表示するパネル、２１０は用紙情報解析部２０２で解析した用紙の種類、状態、内容を格納するための用紙情報ファイル、２１１は用紙印刷判断部２０３で判断基準の基となる印刷条件ファイル、２１２は表示判断部２０５で判断基準となる表示条件ファイルを示す。用紙印刷判断部２０３では、用紙情報ファイル２１０と印刷条件ファイル２１１を基に給紙した用紙を使用して印刷するか、しないかを判断する。また、表示判断部２０５では、表示条件ファイル２１２を基にメッセージをパネルに表示するか、しないかを判断する。
【００１４】
図３は、図２のパネル２０８に表示するメッセージである。図３において、３００は図２のパネル２０８を表し、３０１はパネル２０８に表示するメッセージである。図４、図５、図６は、図２の印刷条件ファイル２１１の内容を示す。各図とも印刷条件ファイルの項目の構成は全部同じであるが、使用環境、使用目的の違いで項目の値を替えることができる。
【００１５】
図４は、印刷制御装置がオフィス等のオープンな環境で普通紙、再生紙等の一般的な用紙を使用される場合の印刷条件ファイルを示す。図５は、印刷制御装置がＩＣチップ等を組み込んだ特殊な用紙を使用される場合の印刷条件ファイルを示す。図６は、印刷制御装置がプレプリント用紙を多く使用する環境で使用される場合の印刷条件ファイルを示す。
【００１６】
図４、５、６で示す印刷条件ファイル２１１の内容４００は、一般的な用紙を使用するか、しないかを指定する指定フラグ４０１、ＩＣ情報等を組み込んだ特殊な用紙を使用するか、しないかを指定する指定フラグ４０９、プリプリント用紙を使用するか、しないかを指定する指定フラグ４１２があり、各指定フラグが「ＯＮ」の場合に、その要素および条件が有効となる。一般指定フラグが「ＯＮ」の場合の要素は、Ａ４、Ｂ５等の用紙の大きさを条件値とする用紙サイズ４０２、普通紙、再生紙、ラベル紙等の用紙の種類を条件値とする用紙種類４０３、用紙の坪量の印刷可能範囲を条件値とする用紙坪量４０４、既に印刷象のある用紙（裏紙）を条件値とする裏紙使用４０５、温湿度等の影響で変化する用紙のこしについて印刷可能範囲を条件値とする用紙のこし４０６、既にパンチ穴のある用紙を条件値とするパンチ穴４０７、既にホチキス止め跡のある用紙を条件値とするホチキス止め跡４０８、ＩＣ情報指定フラグが「ＯＮ」の場合の要素は、使用業務目的等を識別するための識別子を条件値とする識別情報４１０、ユーザ固有の部署、役職、名前等の情報を条件値とするユーザ情報４１１、プレプリント指定フラグが「ＯＮ」の場合の要素は、プレプリントされている画像を条件値とする対象画像名４１３である。
【００１７】
また、一般指定フラグ４０１、ＩＣ情報指定フラグ４０９、およびプレプリント指定フラグが全て「ＯＮ」に指定される場合もある。これらの要素の条件値を全て満たしているかどうかを図２の用紙印刷判断部で判断する。また、これら各要素の追加、削除または、これら以外の指定フラグの追加については印刷制御装置の使用目的によって自由に設定可能である。
【００１８】
図７は、図２の表示条件ファイル２１２の内容７００であり、パネル２０８にメッセージを表示するか、しないかを指定する指定フラグ７０１である。給紙部２０１から給紙した用紙が印刷に適していない場合、そのことをオペレータに通知するか、しないかの設定を行う。
【００１９】
図８は、図２に示した印刷制御装置における印刷に関する主要な流れを示すフローチャートであり、８０１〜８１０は実行ステップによる遷移を示したものである。
【００２０】
図８のフローチャートでステップ８０１の処理は主として給紙部２０１、ステップ８０２は主として用紙情報解析部２０２、ステップ８０３は主として用紙印刷判断部２０３、ステップ８０４の処理は主として用紙印刷判断部２０３、用紙情報ファイル２１０、印刷条件ファイル２１１、ステップ８０５の処理は主として印刷実行部２０４、ステップ８０６の処理は主として適合用排紙部２０６、ステップ８０７の処理は主として用紙印刷判断部２０３、ステップ８０８の処理は主として不適合用排紙部２０７、ステップ８０９の処理は主として表示判断部２０５、表示条件ファイル２１２、ステップ８１０の処理は主として表示判断部２０５、パネル２０８において、それぞれ行われる。
【００２１】
本発明の印刷制御装置は、給紙部２０１にセットされた用紙を給紙後（ステップ８０１）、用紙情報解析部２０２において用紙の種類、情報を解析（ステップ８０２）し、解析した内容を用紙情報ファイル２１０へ格納する。その後、用紙印刷判断部２０３において、前記用紙情報ファイル２１０のデータと、あらかじめ設定されている印刷条件ファイル２１１のデータを基に印刷に適しているか、適していないかを判断する（ステップ８０３、８０４）。判断の方法としては印刷条件ファイルで条件値として設定されている値を満たしている場合、印刷に適していると判断される。用紙印刷判断部２０３で印刷に適している（適合）と判断された場合（ステップ８０４の印刷適合＝適合の場合）は印刷実行部２０４（ステップ８０５含む）で用紙に印刷像を印刷し、適合用排紙部２０６へ排紙する（ステップ８０６）。
【００２２】
また、用紙印刷判断部２０３で印刷に適していない（不適合）と判断された場合（ステップ８０４の印刷適合＝不適合の場合）は用紙印刷判断部２０３（ステップ８０７含む）で用紙を不適合用排紙部２０７へ排紙する（ステップ８０８）。その場合、表示判断部２０５において表示条件ファイル２１２の表示フラグ７０１の値が「ＯＮ」の場合（ステップ８０９の表示有無＝有の場合）はパネル２０８にメッセージ３０１を表示する（ステップ８１０）。表示条件ファイル２１２の表示指定フラグ７０１の値が「ＯＦＦ」の場合（ステップ８０９の表示有無＝無の場合）は、何もパネル２０８には表示しない。
【００２３】
これにより、印刷に不適合な用紙と判断した場合は、印刷せずに、印刷処理を中断することができ、意図しない用紙または印刷を禁止している用紙への印刷、およびジャムが発生しやすい用紙への印刷を行うことがなくなるので省資源およびセキュアな印刷を行うことができる。
【図面の簡単な説明】
【００２４】
【図１】本発明の印刷制御装置の実施例の概略を示した説明図である。
【図２】本発明の印刷制御装置の実施例における機能ブロックを示した説明図である。
【図３】本発明の印刷制御装置の実施例におけるパネルへ表示するメッセージの内容を示した説明図である。
【図４】本発明の印刷制御装置の実施例における印刷条件ファイル（一般的な用紙を使用する印刷環境用）の内容を示した説明図である。
【図５】本発明の印刷制御装置の実施例における印刷条件ファイル（特殊な用紙を使用する印刷環境用）の内容を示した説明図である。
【図６】本発明の印刷制御装置の実施例における印刷条件ファイル（プリプリント用紙を使用する印刷環境用）の内容を示した説明図である。
【図７】本発明の印刷制御装置の実施例における表示条件ファイルの内容を示した説明図である。
【図８】本発明の印刷制御装置の実施例における処理フローチャートである。
【符号の説明】
【００２５】
１００    印刷制御装置
１０１    給紙部
１０２    用紙情報解析部
１０３    用紙印刷判断部
１０４    印刷処理実行部
１０５    排紙部（通常運用時）
１０６    排紙部（不適合時）
２００    印刷制御装置
２０１    給紙部
２０２    用紙情報解析部
２０３    用紙印刷判断部
２０４    印刷実行部
２０５    表示判断部
２０６    適合用排紙部
２０７    不適合用排紙部
２０８    パネル
２１０    用紙情報ファイル
２１１    印刷条件ファイル
２１２    表示条件ファイル
３００    パネル
３０１    メッセージ
４００    印刷条件ファイルの内容
４０１    一般指定フラグ
４０２    用紙サイズ
４０３    用紙種類
４０４    用紙坪量
４０５    裏紙使用
４０６    用紙のこし
４０７    パンチ穴
４０８    ホチキス止め跡
４０９    ＩＣ情報指定フラグ
４１０    識別情報
４１１    ユーザ情報
４１２    プリプリント指定フラグ
４１３    対象画像名
７００    表示条件ファイルの内容
７０１    表示指定フラグ
８０１    用紙給紙のステップ
８０２    用紙情報解析のステップ
８０３    用紙印刷判断のステップ
８０４    印刷適合か否かを判定するステップ
８０５    適合用搬送路通紙のステップ
８０６    適合用排紙部へ排紙するステップ
８０７    不適合用搬送路通紙のステップ
８０８    不適合用排紙部へ排紙するステップ
８０９    メッセージ表示有無を判定するステップ
８１０    メッセージ表示
【図１】
2005262640.tif 000003
【図２】
2005262640.tif 000004
【図３】
2005262640.tif 000005
【図４】
2005262640.tif 000006
【図５】
2005262640.tif 000007
【図６】
2005262640.tif 000008
【図７】
2005262640.tif 000009
【図８】
2005262640.tif 000010